(57)【要約】【課題】  簡単な構造で、座を壁面等から常時離間させることができるとともに、壁面等から離して使用する際には、後方への突起物をなくし、美麗な外観を呈することができるようにした椅子を提供する。【解決手段】座９を支持する脚体４の後端部に、後方に向かって延出し、かつ後端を室内の壁面Ａに当接させることにより、壁面Ａと座９との間を離間させるようにしたウォールスペーサ１３を設ける。【選択図】    図１
2006314538.tif 000002
【特許請求の範囲】
【請求項１】
座を支持する脚体に、後方に向かって延出し、かつ後端を室内の壁面等に当接させることにより、壁面等と座との間を離間させるようにしたウォールスペーサを設けたことを特徴とする椅子。
【請求項２】
脚体を、座を支持する脚柱と、この脚柱の下端に設けた安定脚とからなるものとし、前記安定脚の下面に、ウォールスペーサを、着脱自在に設けたことを特徴とする請求項１記載の椅子。
【請求項３】
ウォールスペーサを、前後方向を向く水平板により形成し、その前部を、脚体の下面にねじ止めしたことを特徴とする請求項１または２記載の椅子。
【請求項４】
ウォールスペーサの前部に、上下方向を向く通孔を設け、この通孔を通して、レベル調整用のアジャスタにおける上向きの雄ねじ部が、脚体の下面に設けたねじ孔に螺合しうるようにしたことを特徴とする請求項１〜３のいずれかに記載の椅子。
【請求項５】
ウォールスペーサを、前後方向に取付位置調節可能として、脚体の後端部に設けたことを特徴とする請求項１〜４のいずれかに記載の椅子。
【請求項６】
通孔を、前後方向に長い長孔とすることにより、ウォールスペーサを、前後方向に取付位置調節可能としたことを特徴とする請求項４に従属する請求項５記載の椅子。
【請求項７】
ウォールスペーサを、最前位として、脚体の後端部に取り付けたとき、ウォールスペーサの後端が、脚体の後端面とほぼ整合するか、または脚体の後端面より前方に位置するようにしたことを特徴とする請求項５または６記載の椅子。
【請求項８】
ウォールスペーサの後端に、壁面等に当接しうるほぼ垂直の当接面を設けたことを特徴とする請求項１〜７のいずれかに記載の椅子。
【請求項９】
当接面に、緩衝材を設けたことを特徴とする請求項８記載の椅子。
【請求項１０】
脚体に、背凭れを、座の後方において後傾可能として装着し、ウォールスペーサの後端が、前記背凭れを最大に後傾させたときの背凭れの後端より後方に位置するようにしたことを特徴とする請求項１〜９のいずれかに記載の椅子。
【請求項１１】
複数の座を、左右方向に並べて支持した脚体の後部両側に、左右１対のウォールスペーサを設けたことを特徴とする請求項１〜１０のいずれかに記載の椅子。
【発明の詳細な説明】
【技術分野】
【０００１】
本発明は、室内の壁面や間仕切その他の家具(それらを総称して壁面等という)の前方に配置して使用する椅子に関する。
【背景技術】
【０００２】
複数の座を、脚体上に左右方向に並べて支持させた、いわゆるロビーチェアやベンチ(例えば特許文献１参照)は、室内の壁面等の前方に配置して使用することが多い。
【特許文献１】特開２００３−１３５２１４号公報
【発明の開示】
【発明が解決しようとする課題】
【０００３】
しかし、このようなロビーチェア等は、室内の壁面等にあまり近づけ過ぎると、座が壁面等に当接したり、擦れたりして、傷ついたり、着座者が後方に体を反らせたとき、体が壁面等に当接したりするおそれがある。
特に、後傾可能な背凭れを備えた椅子においては、背凭れを後傾させたとき、背凭れの後端が壁面等に当接して、傷つきやすい。
【０００４】
脚体を床面に固定するタイプの椅子では、このようなおそれは少ないが、脚体を床面上に載置しただけの椅子では、着座時や離席時に、椅子全体がわずかずつ後方に位置ずれし、上記おそれが多発することがある。
【０００５】
本発明は、従来の技術が有する上記のような問題点に鑑み、簡単な構造で、座を壁面等から常時離間させることができるとともに、壁面等から離して使用する際には、後方への突起物をなくし、美麗な外観を呈することができるようにした椅子を提供することを目的としている。
【課題を解決するための手段】
【０００６】
本発明によると、上記課題は、次のようにして解決される。
(１)  座を支持する脚体に、後方に向かって延出し、かつ後端を室内の壁面等に当接させることにより、壁面等と座との間を離間させるようにしたウォールスペーサを設ける。
【０００７】
(２)  上記(１)項において、脚体を、座を支持する脚柱と、この脚柱の下端に設けた安定脚とからなるものとし、前記安定脚の下面に、ウォールスペーサを、着脱自在に設ける。
【０００８】
(３)  上記(１)または(２)項において、ウォールスペーサを、前後方向を向く水平板により形成し、その前部を、脚体の下面にねじ止めする。
【０００９】
(４)  上記(１)〜(３)項のいずれかにおいて、ウォールスペーサの前部に、上下方向を向く通孔を設け、この通孔を通して、レベル調整用のアジャスタにおける上向きの雄ねじ部が、脚体の下面に設けたねじ孔に螺合しうるようにする。
【００１０】
(５)  上記(１)〜(４)項のいずれかにおいて、ウォールスペーサを、前後方向に取付位置調節可能として、脚体の後端部に設ける。
【００１１】
(６)  上記(４)項に従属する(５)項において、通孔を、前後方向に長い長孔とすることにより、ウォールスペーサを、前後方向に取付位置調節可能とる。
【００１２】
(７)  上記(５)または(６)項において、ウォールスペーサを、最前位として、脚体の後端部に取り付けたとき、ウォールスペーサの後端が、脚体の後端面とほぼ整合するか、または脚体の後端面より前方に位置するようにする。
【００１３】
(８)  上記(１)〜(７)項のいずれかにおいて、ウォールスペーサの後端に、壁面等に当接しうるほぼ垂直の当接面を設ける。
【００１４】
(９)  上記(８)項において、当接面に、緩衝材を設ける。
【００１５】
(１０)上記(１)〜(９)項のいずれかにおいて、脚体に、背凭れを、座の後方において後傾可能として装着し、ウォールスペーサの後端が、前記背凭れを最大に後傾させたときの背凭れの後端より後方に位置するようにする。
【００１６】
(１１)上記(１)〜(１０)項のいずれかにおいて、複数の座を、左右方向に並べて支持した脚体の後部両側に、左右１対のウォールスペーサを設ける。
【発明の効果】
【００１７】
本発明によると、次のような効果を奏することができる。
(ａ)  請求項１記載の発明によると、椅子を、室内の壁面等に沿って配置したとき、ウォールスペーサの後端が壁面等に当接することにより、座を壁面等から常時離間させることができ、座が壁面等に当接して、傷つけられたり、着座者が後方に体を反らせたとき、体が壁面等に当接したするのを防止することができる。
また、据付椅子の場合は、ウォールスペーサの後端を壁面等に当接させてから、脚体を床面に固定することにより、椅子の据付時の位置決めが容易になる。
【００１８】
(ｂ)請求項２記載の発明によると、ウォールスペーサを、安定脚の下面に着脱自在に設けてあるので、ウォールスペーサが床面に近接して、目立つことがなく、また、椅子を壁面等から遠く離して使用する場合は、ウォールスペーサを安定脚の下面から取り外しておくことにより、ウォールスペーサが椅子の後方に突出して、通行の妨げとなったり、美観を損ねたりするのを防止することができる。
【００１９】
(ｃ)請求項３記載の発明によると、ウォールスペーサを、前後方向を向く水平板により形成し、その前部を、脚体の下面にねじ止めしてあるので、ウォールスペーサを薄くして、目立たなくすることができるとともに、構造を簡素化して、安価に製造することができる。
また、ウォールスペーサを、脚体に容易に着脱することができる。
【００２０】
(ｄ)請求項４記載の発明によると、ウォールスペーサが、アジャスタの取付のための妨げとなることがなく、しかも、アジャスタが、ウォールスペーサにより覆われるので、体裁がよい。
【００２１】
(ｅ)請求項５記載の発明によると、ウォールスペーサを、前後方向に取付位置調節することにより、座と壁面等との間の最小近接距離を、状況に応じて変更することができる。
【００２２】
(ｆ)請求項６記載の発明によると、通孔を、前後方向に長い長孔としてあるので、その長孔内を、アジャスタにおける雄ねじ部が前後方向に相対的に移動することができ、それによって、ウォールスペーサを、前後方向に取付位置調節することが可能になる。
また、ウォールスペーサを、前後方向に取付位置調節することにより、座と壁面等との間の最小近接距離を、状況に応じて変更することができる。
【００２３】
(ｇ)請求項７記載の発明によると、ウォールスペーサを使用する必要のないときは、ウォールスペーサを最前位に取り付けておけば、ウォールスペーサが外部に露呈することがなく、体裁がよい。また、ウォールスペーサを脚体から取りはず場合のように、ウォールスペーサを紛失するおそれがない。
【００２４】
(ｈ)請求項８記載の発明によると、ウォールスペーサの後端が、壁面等に面接触するので、壁面等を傷つけるおそれが少ない。
【００２５】
(ｉ)請求項９記載の発明によると、ウォールスペーサの後端が、緩衝材を介して、壁面等に当接するので、壁面等を傷つけるおそれをさらに少なくすることができる。
【００２６】
(ｊ)請求項１０記載の発明によると、背凭れを最大に後傾させたときでも、背凭れの後端が壁面等に当接することがなく、背凭れの後端が壁面等に当接して、傷つくのを確実に防止することができる。
【００２７】
(ｋ)請求項１１記載の発明によると、左右１対のウォールスペーサの後端が壁面等に当接することにより、左右方向に並べられたすべての座と壁面等とを、常時所定距離以上に離間させることができる。
【発明を実施するための最良の形態】
【００２８】
以下、本発明の実施形態を図面を参照して説明する。
図１〜図４は、本発明の第１の実施形態を示す。
図１に示すように、この椅子は、室内の壁面(Ａ)の前方における床面(Ｂ)上に載置して、ロビーチェアとして使用される３連式のものであって、前後方向を向く左右１対の安定脚(１)(１)のほぼ中央に立設した脚柱(２)(２)の上端間に、左右方向を向く角管状のビーム(３)を架設したものよりなる脚体(４)上に、３個の椅子本体(５)を、左右方向に並べて取り付けたものよりなっている。
【００２９】
各椅子本体(５)は、左右１対の背凭れ支持杆(６)(６)のやや下端寄りの部分同士を、左右方向を向く横杆(７)をもって連結してなるフレーム(８)における横杆(７)上に、座(９)を載置して固定し、かつ座(９)の後部上方において、左右１対の背凭れ支持杆(６)(６)間に、背凭れ(10)を架設したものよりなり、左右の背凭れ支持杆(６)(６)の下端部を、ビーム(３)に上方より跨嵌し、かつビーム(３)の下方から、固定具(11)の前後の端部を、各支持杆(６)の下端にねじ止めすることにより、ビーム(３)に取り付けられている。
【００３０】
図１および図４に示すように、背凭れ(10)は、左右の背凭れ支持杆(６)(６)の上部と背凭れ(10)の下部とに設けた上下２箇所の関節部(12)(12)において、若干後傾しうるようになっている。
背凭れ(10)の上部が、関節部(12)(12)において後傾しうるようにするとともに、その背凭れ(10)の上部を、起立する方向に付勢するためのリクライニング機構は公知であり、また本発明に直接関係しないので、その図示および詳細な説明は省略する。
なお、このような関節型のリクライニング機構に代えて、左右１対の背凭れ支持杆(６)(６)のほぼ全体が後傾できるようにした公知のリクライニング機構を用いてもよい。
また、座(９)は、フレーム(８)に左右方向を向く軸(図示略)をもって枢着し、前部を後上方に回動させて折り畳めるようにすることもある。
【００３１】
図１〜図４に示すように、左右の安定脚(１)(１)の後端部下面には、後方に向かって延出し、かつ後端を室内の壁面(Ａ)に当接させることにより、壁面(Ａ)と座(９)との間を離間させるようにしたウォールスペーサ(13)が、それぞれ着脱自在に設けられている。
【００３２】
ウォールスペーサ(13)は、この例では、前後方向を向く水平板により形成され、その前部が、各安定脚(１)の下面に、前後１対の固定ねじ(14)(14)をもって止着されている。
ウォールスペーサ(13)の前端寄りの部分には、上下方向を向く通孔(15)が設けられており、この通孔(15)を通して、レベル調整用のアジャスタ(16)における上向きの雄ねじ部(17)が、安定脚(１)の下面に設けたねじ孔(18)に螺合しうるようになっている。
また、各安定脚(１)の前端部下面にも、同様のレベル調整用のアジャスタ(16)が設けられている。
【００３３】
ウォールスペーサ(13)の後端部には、後上方を向く上向き傾斜片(13a)と、その後端から垂下する下向き折曲片(13b)とが設けられ、その下向き折曲片(13a)の後面が、壁面(Ａ)と面接触するほぼ垂直の当接面(19)となっている。この当接面(19)には、ゴム等の弾性体からなる緩衝材(20)が設けられている。
【００３４】
安定脚(１)の後端からのウォールスペーサ(13)の後方への突出量は、図４に示すように、ウォールスペーサ(13)の後端が、背凭れ(10)を最大に後傾させたときの背凭れ(10)(その状態を図４に想像線で示す)の後端より後方に位置するように定めてある。
【００３５】
第１の実施形態は、上記のような構成としてあるので、椅子を、室内の壁面(Ａ)に沿って配置したとき、ウォールスペーサ(13)の後端、より正確には、緩衝材(20)が、壁面(Ａ)に当接することによって、座(９)や背凭れ(10)を壁面(Ａ)から常時離間させることができ、座(９)や背凭れ(10)が壁面(Ａ)に当接して、傷つけられたり、着座者が後方に体を反らせたとき、体が壁面(Ａ)に当接したするのを防止することができる。
【００３６】
特に、ウォールスペーサ(13)の後方への突出量を、ウォールスペーサ(13)の後端が、背凭れ(10)を最大に後傾させたときの背凭れ(10)の後端より後方に位置するように定めてあるので、背凭れ(10)を最大に後傾させたときでも、背凭れ(10)の後端が壁面(Ａ)に当接することがなく、背凭れ(10)の後端が壁面(Ａ)に当接して、傷つくのを確実に防止することができる。
【００３７】
また、この椅子を床面(Ｂ)に固定して使用する場合は、ウォールスペーサ(13)の後端を壁面(Ａ)に当接させてから、安定脚(１)を床面(Ｂ)に固定することにより、椅子の据付時の位置決めが容易になる。
【００３８】
ウォールスペーサ(13)を、安定脚(１)の下面に着脱自在に設けてあるので、ウォールスペーサ(13)が床面(Ｂ)に近接して、目立つことがなく、また、椅子を壁面(Ｂ)から遠く離して使用する場合は、固定ねじ(14)(14)を外して、ウォールスペーサ(13)を各安定脚(１)の下面から取り外しておくことにより、ウォールスペーサ(13)が椅子の後方に突出して、通行の妨げとなったり、美観を損ねたりするのを防止することができる。
【００３９】
また、その他にも、発明の効果として記載した上記(ｃ)、(ｄ)、および(ｈ)〜(ｋ)の効果と同一の効果を奏することができる。
【００４０】
図５および図６は、本発明の第２の実施形態を示す。なお、第１の実施形態におけるのと同一の部材には、同一の符号をもって図示するに止め、それらについての詳細な説明は省略する。
この例においては、ウォールスペーサ(13)における通孔(21)を、前後方向に長い長孔とするとともに、安定脚(１)の後端面に、ウォールスペーサ(13)における上向き傾斜片(13a)と下向き折曲片(13b)とが嵌合しうる凹部(22)が設けられている。
【００４１】
ウォールスペーサ(13)を、使用状態として安定脚(１)に取り付けるには、第１の実施形態と同様に、図５に示すように、ウォールスペーサ(13)の前端部を、前後１対の固定ねじ(14)(14)をもって、各安定脚(１)の後部の下面に止着し、レベル調整用のアジャスタ(16)における上向きの雄ねじ部(17)を、ウォールスペーサ(13)における通孔(21)の前部を通して、安定脚(１)の下面に設けたねじ孔(18)に螺合する。
【００４２】
このとき、各安定脚(１)の中央部の下面の所要の位置には、左右方向の幅を、長孔とした通孔(21)の幅より大とした押え板(23)を、上記固定ねじ(14)(14)と同一の前後１対の固定ねじ(24)(24)をもって、同一の前後間隔をもってねじ止めしておく。
【００４３】
この状態から、ウォールスペーサ(13)を、不使用状態として安定脚(１)に取り付け直すには、４本の固定ねじ(14)(14)(24)(24)のすべてを、安定脚(１)の下面およびウォールスペーサ(13)から外し、アジャスタ(16)の雄ねじ部(17)を、安定脚(１)のねじ孔(18)に螺合したままの状態で、通孔(21)を雄ねじ部(17)に対して前方に摺動させつつ、ウォールスペーサ(13)を、図６に示すように、その後端部の上向き傾斜片(13a)と下向き折曲片(13b)とが、凹部(22)内に嵌合するまで、前方に移動させる。
【００４４】
次いで、ウォールスペーサ(13)の前端部を、前後１対の固定ねじ(14)(14)をもって、安定脚(１)の中央部の下面における元の固定ねじ(24)(24)が螺着されていた位置に止着し、かつウォールスペーサ(13)の中間部下面に、押え板(23)を当接し、その押え板(23)を、ウォールスペーサ(13)の通孔(21)に挿通させた固定ねじ(24)(24)をもって、安定脚(１)の後部下面における元の固定ねじ(14)(14)が螺着されていた位置に止着する。
【００４５】
このように、ウォールスペーサ(13)を、不使用状態として安定脚(１)の下面に取り付けたとき、ウォールスペーサ(13)の上向き傾斜片(13a)と下向き折曲片(13b)とが、凹部(22)内に嵌合し、ウォールスペーサ(13)の後端である当接面(19)または緩衝材(20)の後面が、安定脚(１)の後端面とほぼ整合するか、それより前方に位置するようにしておくと、椅子を壁面(Ａ)から遠く離れた部屋の中央寄りに配置して使用する場合に、ウォールスペーサ(13)が後方に突出して、通行の妨げとなったり、美観を損ねたりすることがない。また、ウォールスペーサ(13)を安定脚(１)から取り外す場合のように、ウォールスペーサ(13)を紛失するおそれもない。
【００４６】
また、ウォールスペーサ(13)を不使用状態としたとき、ウォールスペーサ(13)の後端の当接面(19)が安定脚(１)の後端面と整合し、緩衝材(20)がそれらより後方に突出するようにしておくと、安定脚(１)の後端面を、靴や台車の衝突から防護することができる。
【００４７】
第２の実施形態においては、ウォールスペーサ(13)を、不使用状態と使用状態との前後２位置に、取付位置調節可能としてあるが、図６に想像線で示すように、その中間の任意の位置においても取り付け可能とすると、座(９)と壁面(Ａ)との間の最小近接距離を、状況に応じて変更することができる。
【００４８】
以上、本発明の２つの実施形態について説明したが、本発明は、特許請求の範囲を逸脱しない範囲で、上記以外の形態での実施が可能である。
例えば、次のような変形が可能である。
(１)  安定脚(１)の下面に、ウォールスペーサ(13)を前後方向に摺動可能に装着するとともに、そのウォールスペーサ(13)を、前後方向の複数の位置で係止しうるロック手段を、安定脚(１)に設ける。
(２)  通孔(21)を長孔とする代わりに、ウォールスペーサ(13)に、使用状態と不使用状態としたときに、アジャスタ(16)の雄ねじ部(17)を挿通させるための２個の通孔を穿設する。
(３)  脚体(４)により、単一の座(９)のみを支持するか、または２個もしくは４個以上の座(９)を支持するようにした椅子における脚体(４)の後部に、ウォールスペーサ(13)を設ける。
【図面の簡単な説明】
【００４９】
【図１】本発明の第１の実施形態を斜め前方より見た斜視図である。
【図２】同じく、脚体とウォールスペーサとアジャスタとの分解斜視図である。
【図３】同じく、ウォールスペーサ取付部分の拡大縦断側面図である。
【図４】同じく、側面図である。
【図５】本発明の第２の実施形態における、ウォールスペーサを使用状態としたときの図３と同様の部分の拡大縦断側面図である。
【図６】同じく、ウォールスペーサを不使用状態としたときの、図５と同様の拡大縦断側面図である。
【符号の説明】
【００５０】
(Ａ)壁面
(Ｂ)床面
(１)安定脚
(２)脚柱
(３)ビーム
(４)脚体
(５)椅子本体
(６)背凭れ支持杆
(７)横杆
(８)フレーム
(９)座
(10)背凭れ
(11)固定具
(12)関節部
(13)ウォールスペーサ
(13a)上向き傾斜片
(13b)下向き折曲片
(14)固定ねじ
(15)通孔
(16)アジャスタ
(17)雄ねじ部
(18)ねじ孔
(19)当接面
(20)緩衝材
(21)通孔
(22)凹部
(23)押え板
(24)固定ねじ
【図１】
2006314538.tif 000003
【図２】
2006314538.tif 000004
【図３】
2006314538.tif 000005
【図４】
2006314538.tif 000006
【図５】
2006314538.tif 000007
【図６】
2006314538.tif 000008